(57)【要約】      （修正有）【課題】吊り下げたタンディッシュの落下を防止することが可能なタンディッシュのチェーン取付機構を提供する。【解決手段】鋼の連続鋳造設備に配置されるタンディッシュを吊り上げるチェーン２０を取り付けるためのタンディッシュのチェーン取付機構において、タンディッシュの外周側面に設けられ、側面略鉤形状とされてその先端２３が下側に配向し、チェーン２０が挿通可能なフック２と、タンディッシュの外周側面側において回動自在となるように構成され、その先端側に設けられた作用棒線が、チェーン２０が挿通されたフック２の先端２３に係止される外れ止め鋼棒３とを備えることを特徴とする。【選択図】図３
0003199277.tif 000002
【実用新案登録請求の範囲】
【請求項１】
鋼の連続鋳造設備に配置されるタンディッシュを吊り上げるチェーンを取り付けるためのタンディッシュのチェーン取付機構において、
上記タンディッシュの外周側面に設けられ、側面略鉤形状とされてその先端が下側に配向し、上記チェーンが挿通可能なフックと、
上記タンディッシュの外周側面側において回動自在となるように構成され、その先端側に設けられた作用部が、上記チェーンが挿通された上記フックの先端に係止される外れ止め鋼棒とを備えること
を特徴とするタンディッシュのチェーン取付機構。
【請求項２】
上記フックは、その先端から外側に突出された突出部を有し、
上記外れ止め鋼棒は、その作用部が上記突出部の上部において係止されること
を特徴とする請求項１記載のタンディッシュのチェーン取付機構。
【考案の詳細な説明】
【技術分野】
【０００１】
本考案は、鋼の連続鋳造設備に配置されるタンディッシュを吊り上げるチェーンを取り付けるためのタンディッシュのチェーン取付機構に関するものである。
【背景技術】
【０００２】
鋼の連続鋳造設備に配置されるタンディッシュは、耐火物で内張りされた容器であり、取鍋から注がれてくる溶鋼を一時的に蓄え、更に底部から鋳型へと流すものである。このタンディッシュに溶鋼を貯留する過程において、容器内において区分けされた貯留部分により、多くの介在物が浮いてくるため、これらを分離除去することも可能となる。
【０００３】
ところで、このようなタンディッシュは、容器内において内張りされた耐火物が損傷したり、タンディッシュ用ノズルが溶損する場合がある。このため、タンディッシュの交換が必要となるケースがあり、かかる場合には、使用済みのタンディッシュをチェーンで吊り上げて撤去することとなる。このため、従来よりタンディッシュを吊り下げるチェーンを取り付けるための機構が各種提案されている。
【０００４】
例えば特許文献１には、タンディッシュの端辺の両側面には、フックがそれぞれ掛止するためのタンディッシュ用トラニオンが突設されている例が開示されている。また特許文献２には、リンクの両端がピンにより吊座およびクランプ枠に回動可能に取り付けられているタンディッシュのチェーン取付機構が開示されている。更に特許文献３には、タンディッシュをクランプにより把持する機構が開示されている。
【先行技術文献】
【特許文献】
【０００５】
【特許文献１】実開平７−３３４４３号公報
【特許文献２】実開平６−２３８４０６号公報
【特許文献３】特開平５−３１８０５１号公報
【考案の概要】
【考案が解決しようとする課題】
【０００６】
しかしながら、タンディッシュはサイズ、重量ともに大きく、チェーンで吊り上げる過程でこれを落下させてしまうと大きな事故に繋がる可能性もある。上述した特許文献１−３の開示技術によれば、何れもタンディッシュを吊り下げる方法のみに着目した技術であり、吊り下げる過程での落下防止については特段着目した技術ではない。
【０００７】
そこで本考案は、上述した問題点に鑑みて案出されたものであり、その目的とするところは、鋼の連続鋳造設備に配置されるタンディッシュを吊り上げるチェーンを取り付けるためのタンディッシュのチェーン取付機構において、特に吊り下げたタンディッシュの落下を防止することが可能なタンディッシュのチェーン取付機構を提供することにある。
【課題を解決するための手段】
【０００８】
第１考案に係るタンディッシュのチェーン取付機構は、鋼の連続鋳造設備に配置されるタンディッシュを吊り上げるチェーンを取り付けるためのタンディッシュのチェーン取付機構において、上記タンディッシュの外周側面に設けられ、側面略鉤形状とされてその先端が下側に配向し、上記チェーンが挿通可能なフックと、上記タンディッシュの外周側面側において回動自在となるように構成され、その先端側に設けられた作用部が、上記チェーンが挿通された上記フックの先端に係止される外れ止め鋼棒とを備える。
【０００９】
第２考案に係るタンディッシュのチェーン取付機構は、第１考案において、上記フックは、その先端から外側に突出された突出部を有し、上記外れ止め鋼棒は、その作用部が上記突出部の上部において係止されることを特徴とする。
【考案の効果】
【００１０】
上述した構成からなる本考案によれば、鉤部にチェーンが挿通された状態で、かつ外れ止め鋼棒がフックの先端に係止されていることで、フックが外れ止め鋼棒を介して、いわば閉じられた状態となる。その結果、チェーンが鉤部から外れてフック外へと離脱してしまうのを、この外れ止め鋼棒を介して防止することが可能となり、吊り下げたタンディッシュが落下してしまうのを防止することが可能となる。
【図面の簡単な説明】
【００１１】
【図１】本考案を適用したチェーン取付機構の全体構成を示す正面図である。
【図２】本考案を適用したチェーン取付機構の全体構成を示す側面図である。
【図３】本考案を適用したチェーン取付機構の拡大側面図である。
【図４】本考案を適用したチェーン取付機構の拡大正面図である。
【図５】本考案を適用したチェーン取付機構の動作関係について説明するための図である。
【考案を実施するための形態】
【００１２】
以下、本考案を実施するための形態について図面を参照しながら詳細に説明をする。
【００１３】
図１は、本考案を適用したチェーン取付機構１の全体構成を示す正面図であり、図２はその側面図である。このチェーン取付機構１には、鋼の連続鋳造設備に配置されるタンディッシュ１０を吊り上げるためのチェーンが取り付けられる。チェーン取付機構１は、タンディッシュ１０の外周側面１１に設けられている。図１の例では、チェーン取付機構１がタンディッシュ１０の互いに対向する外周側面１１に２箇所ずつ形成されている場合を例に挙げているが、これに限定されるものではなく、各外周側面１１にいかなる数にわたり設けられていてもよい。またチェーン取付機構１は、少なくとも互いに対向する側面に一つ設けられていればよく、全ての外周側面１１に対して設けられている必要も無い。
【００１４】
図３は、チェーン取付機構１の拡大側面図であり、図４は、その拡大正面図である。このチェーン取付機構１は、チェーンが挿通可能なフック２と、フック２に係止可能とされた外れ止め鋼棒３とを備えている。
【００１５】
フック２は、タンディッシュ１０の外周側面１１に取り付けられる基端部２１と、この基端部２１から外側に向けて膨出されてなり、側面略鉤形状とされる鉤部２２とを有している。この鉤部２２は、その先端２３が下側に向けて配向するように設けられている。この鉤部２２の先端２３から外側に向けて突出部２４が突出されている。フック２は鉄鋼、アルミニウム等を始めとした金属で鋼製されており、基端部２１は、溶接により外周側面１１に固着されている。鉤部２２は、チェーン２０が挿通可能とされている。この鉤部２２における上面は、基端部２１から外側に向けて直線状に突出されてから下側に向けて折り曲げられ、そのまま下側へと垂下して下端２３へ到達することとなる。また、鉤部２２における下面は、基端部２１における下端から斜め上方に向けて立ち上げられ、Ｕ字状に折り曲げられて下端２３へ到達することとなる。突出部２４は、少なくとも鉤部２２よりも外側に突出されていれば側面形状はいかなるものとされていてもよい。ちなみに、この突出部２４は必須の構成要素、部材ではなく、省略するようにしてもよい。
【００１６】
図４は、外れ止め鋼棒３のみを拡大した正面図である。外れ止め鋼棒３は、軸心３０と、軸心３０から外側に延長される第１鋼棒３１とこの第１鋼棒３１に取り付けられた鞘管３２と、鞘管３２に挿入される第２鋼棒３３とを有している。
【００１７】
軸心３０は、それぞれタンディッシュ１０の外周側面１１に取り付けられる固定部材５１における挿通孔５１ａに挿通される。軸心３０は、この挿通孔５１ａを回転自在とされている。このため、この軸心３０から連続する第１鋼棒３１、鞘管３２、第２鋼棒３３は、タンディッシュ１０の外周側面側においてこの軸心３０を回転中心として回動自在に構成されている。
【００１８】
この外れ止め鋼棒３のうち、第１鋼棒３１、鞘管３２は互いに平行とされた２本で構成されている。鞘管３２は、第１鋼棒３１に取り付けられてなるとともに、この第１鋼棒３１と平行となるように管体が設けられ、これに第２鋼棒３３の端部が挿入される。第２鋼棒３３は、作用棒線３５を中心にして略コ字状に折り曲げられて構成され、その両端は、互いに平行とされた２本の鞘管３２にそれぞれ挿入されている。ちなみに、第２鋼棒３３は鞘管３２に挿入された状態で、これを図４中Ａ方向に向けて駆動することができる。その結果、この作用棒線３５を軸心３０からＡ方向に向けて近接させ又は離間させることが可能となる。
【００１９】
第２鋼棒３３の中央に形成される作用棒線３５は、鞘管３２の延長方向に対して垂直とされてなるとともに把持部３４が取り付けられている。この把持部３４を把持して回転力を負荷することにより、第１鋼棒３１、鞘管３２、第２鋼棒３３について軸心３０を回転中心として回動させることが可能となる。また、この把持部３４を把持してＡ方向に向けて駆動させることにより、作用棒線３５を軸心３０から近接させ又は離間させることが可能となる。
【００２０】
このような構成からなるチェーン取付機構１に対して実際にチェーン２０を取りつける方法について説明する。先ず図５に示すように、先ずフック２における鉤部２２にチェーン２０を挿通させる。この状態では、外れ止め鋼棒３は、下げられた状態にあり、フック２に対して係止されていない。このためフック２は、開放されている状態にあることから、チェーン２０を挿通させることが可能となる。
【００２１】
次に把持部３４を把持して図５中Ｂ方向への回転力を負荷することにより、第１鋼棒３１、鞘管３２、第２鋼棒３３について軸心３０を回転中心として回動させる。そして、図３、４に示すように作用棒線３５を突出部２４の上部において係止させる。突出部２４は上述したように、鉤部２２よりも外側に突出されていることから、外れ止め鋼棒３の先端に設けられた作用棒線３５を係止させ、安定した状態で保持することが可能となる。突出部２４に作用棒線３５を係止させる過程では、必要に応じて作用棒線３５を軸心３０に対して近接離間させることにより位置調整を行うようにしてもよい。なお、これらの操作を行う際には何れも把持部３４を把持することにより行うが、この把持部３４の操作は、先端に鉤等が取り付けられた図示しない棒を介して行うようにしてもよいことは勿論である。
【００２２】
このようにして、鉤部２２にチェーン２０が挿通された状態で、かつ外れ止め鋼棒３がフック２の先端に係止されていることで、フック２が外れ止め鋼棒３を介して、いわば閉じられた状態となる。その結果、チェーン２０が鉤部２２から外れてフック２外へと離脱してしまうのを、この外れ止め鋼棒３を介して防止することが可能となり、吊り下げたタンディッシュ１０が落下してしまうのを防止することが可能となる。
【００２３】
しかもこの外れ止め鋼棒３は、その先端の作用棒線３５が突出部２４の上部において係止されていることから容易に外れてしまうことは殆ど無い。実際に、作用棒線３５を突出部２４の上部に係止させる際に、これを鞘管３２の軸方向に向けて押し込んでおくことにより、作用棒線３５が突出部２４から外れてしまうのをさらに強固に防止することが可能となる。
【００２４】
なお、本考案では、突出部２４の構成を省略する場合には、作用棒線を鉤部２２の外側に係止させることでこれを固定する。これにより、上述と同様の作用効果を奏することが可能となる。
【符号の説明】
【００２５】
１  チェーン取付機構
２  フック
３  外れ止め鋼棒
１０  タンディッシュ
１１  外周側面
２０  チェーン
２１  基端部
２２  鉤部
２３  下端
２３  先端
２４  突出部
３０  軸心
３１  第１鋼棒
３２  鞘管
３３  第２鋼棒
３４  把持部
３５  作用棒線
５１  固定部材
【図１】
0003199277.tif 000003
【図２】
0003199277.tif 000004
【図３】
0003199277.tif 000005
【図４】
0003199277.tif 000006
【図５】
0003199277.tif 000007